(57)【要約】      （修正有）【課題】高濃度酸素を供給する空調機器で活性酸素の除去の改善することで清浄な適度の湿度を保つことを両立したファン装置を提供する。【解決手段】高濃度酸素を生成する酸素富化膜をフィルターに設けエアポンプで吸入後ＬＥＤの光源で光電板に照射してできた光電子で空気と混合して活性酸素を除去、水タンク部から水位センサで満量空量の指示及び湿度センサで適度な湿度制御するように超音波加湿器を働かせて高濃度且つ清浄な空気を放出する活性酸素除去濃縮型ファン装置とする。【選択図】図１
0003178022.tif 000002
【実用新案登録請求の範囲】
【請求項１】
フィルターから取り込んだ空気から酸素富化膜を介して、エアポンプで吸い上げて通過させながら酸素濃縮をしてＬＥＤからの光を光電板に照射し、光電子を発生後、一方水タンク部と超音波加湿器にて水位センサで水位を制御、指示させながらファン装置部をモータで駆動して適度の湿度の空気を吹き出し口から高濃度酸素とともに放出することを特徴とする活性酸素除去濃縮型ファン装置。
【請求項２】
湿度センサ及び温度センサで超音波加湿器による放出される湿気度合いの制御を行う事を特徴とした請求項１記載の活性酸素除去濃縮型ファン装置。
【考案の詳細な説明】
【技術分野】
【０００１】  本考案は、空気清浄機と酸素要求量の増大を行う為の補助及び活性酸素を除去するためのファン装置に関するものである。
【背景技術】
【０００２】  従来、空気清浄機は、フィルターで空気の汚れを取り除きファン装置でファンをモータで回転させて吐き出すものであり、酸素を同じ濃度で吹き出し口から吐き出すために効果は少なく活性酸素が混じるので、ウイルスの除去が難しく、すぐ酸化反応してしまうので安定した酸素補給が困難な問題があった。
【考案の開示】
【考案が解決しようとする課題】
【０００３】  本考案は、上記の改善策を模索する考案として提示するものであり、空気清浄機の機能を高めて空調機器の高度化を提供するものである。
【課題を解決するための手段】
【０００４】  本考案請求項１記載の活性酸素除去濃縮型ファン装置は、フィルターから取り込んだ空気から酸素富化膜を介して、エアポンプで吸い上げて通過させながら濃縮する手段と活性酸素の除去に効果が或る光電子を作るＬＥＤと光電板による光電子の放出で安定した酸素のみ取り出して、一方水タンクから超音波加湿器を湿度センサ及び温度センサにてコントローラで制御、水タンクに設けた水位センサで水量を測定して満杯になった場合或いは、空量になった場合、インジケータがランプ又は、ブザーで警報しながら、モータでファン部を回転して吹き出し口から高濃度の酸素を放出することを特徴としたものである。【０００５】  本考案請求項２記載の活性酸素除去濃縮型ファン装置は、湿度センサ及び温度センサで超音波加湿器による放出される湿気度合いの制御させることを特徴とするものである。
【考案の効果】
【０００６】  本考案の効果は、吹き出し口から酸素富化膜を介して濃縮酸素を放出しながら有害な活性酸素を除去する請求項１記載の活性酸素除去濃縮型ファン装置によれば、光電板にＬＥＤの照射光で光電子の発生で不安定な活性酸素を安定化した普通の酸素に換えて、湿度センサで湿度を適切に制御する、超音波加湿器で湿り気も与える空調機器である。さらに水タンクに水位センサを設けて満量及び空量を指示する。【０００７】  また請求項２記載の活性酸素除去濃縮型ファン装置によれば、湿度センサで適切な湿度を与える超音波加湿器を制御して温度センサで運転する。
【考案を実施するための最良の形態】
【０００８】  以下、本考案の実施の一形態を図１ないし図３を用いて詳しく説明する。其の前に理論の説明をすると次の通りである。【０００９】  基本は、活性酸素とはどんな酸素であるか文献によると一重項酸素と呼び通常の酸素よりすぐ反応しやすい酸素で自由電子として解離して元の電子軌道が空の軌道になり、マイナス電子還元を受けた酸素が中性で解離したイオンであるとされている。【００１０】  さらに熱を加えると、ブラウン運動として電子が不規則運動を行う。物質に熱が加わると熱電子が発生する筈で熱酸化反応は、熱電子が関与しているという考え方で活性酸素が不安定であるためすぐ反応するので電子を供給すれば安定化する。ただし熱反応しない光電子を供給することを前提に考案した。【００１１】  以下本考案の一実施の一形態を図１から図３を用いて説明する。図１は、不安定な結合をする活性酸素を除去する活性酸素除去部の構成図である。１は、活性酸素除去部ブロックである。仮にＡブロックとする。２は酸素富化膜であり、本体内部への酸素濃度を高めて通過させる働きが或る、３はエアポンプで電源Ｆ端子から空気を取り込み８光電板が７電極にＧ端子からマイナス電気が供給され、これらが配置されている部屋へ空気が流れる。電源Ｈ端子から供給される６ＬＥＤの光が５レンズを通り４の反射ミラー板で光反射して８の光電板に当たる。すると、光電効果で光電子を発生させる。吸い込んだ空気は光電子と衝突して活性酸素の足りない電子に作用して安定した普通の酸素に変化させる。【００１２】  さらに２の酸素富化膜は９フィルターを通過して汚れた空気を取り込み、光電子と反応して排気され、次の超音波加湿器１３は１５水タンク部とパイプでつながっている。１５水タンク部には満量或いは空量を測定する１４水位センサが設けている。【００１３】  湿度調節に必要な適度な加湿を行う１３超音波加湿器はＣ端子に、１４水位センサはＥ端子へ湿度を測定する湿度センサ１０はＢ端子にそれぞれ１７コントローラに接続されている。【００１４】  この活性酸素除去濃縮型ファン装置の吹き出し口１８から濃縮された酸素が出てくるが適度の湿度を制御する１０湿度センサは高湿度を検出すると１７コントローラは１３超音波加湿器を低レベル運転モードにするように制御する信号を出す。また１１ファン部は１２モータに軸が接続されており、任意で１２モータの回転数を可変できる。【００１５】  これにより１１ファン部の回転数が変わり吹き出しする風量を変えられる。１２モータは電源Ａ端子に接続されている。１６電源部は電灯線コードで電源確保する。１７コントローラは１５水タンク部の１４水位センサが満量或いは空量を検出した場合は、インジケータでブザーやランプで指示する。【００１６】  図３は、活性酸素除去濃縮型ファン装置の制御に使う電気回路で１０湿度センサは１７コントローラに接続させている。２０ＤＡＣで超音波加湿器の制御をする。１４水位センサも１７コントローラに接続されている。２１インジケータは１７コントローラに接続されている。１２モータは、１９風量制御部に接続されて１６電源部に接続されている。１２モータは１９風量制御部で１６電源部からの電圧を調整してモータの回転数を変動させる。２１インジケータは、１４水位センサの水位量に応じてランプやブザーで警報する。【００１７】  以上の構成で活性酸素濃縮型ファン装置は成り立っている。
【図面の簡単な説明】
【００１８】
【図１】活性酸素除去部の構成の図である。
【図２】活性酸素除去濃縮型ファン装置の全体図である。
【図３】活性酸素除去濃縮型ファン装置の電気回路の図である。
【符号の説明】
【００１９】  １    活性酸素除去部
２    酸素富化膜
３    エアポンプ
４    反射ミラー
５    レンズ
６    ＬＥＤ
７    電極
８    光電板
９    フィルター
１０    湿度センサ
１１    フアン部
１２    モータ
１３    超音波加湿器
１４    水位センサ
１５    水タンク部
１６    電源部
１７    コントローラ
１８    吹き出し口
１９    風量制御部
２０    ＤＡＣ
２１    インジケータ
【図１】
0003178022.tif 000003
【図２】
0003178022.tif 000004
【図３】
0003178022.tif 000005